(57)【要約】【課題】放電回路を構成するサイリスタ素子によって比較的簡潔な構成により界磁遮断を的確に行える回転電機の励磁装置を得る。【解決手段】同期機１の界磁巻線２に所定の極性で直流電圧を印加し界磁電流を流すためのサイリスタ整流器４と、界磁巻線２と並列に接続されサイリスタ整流器４により界磁巻線２に印加される直流電圧の正極側にカソードを接続されるサイリスタ素子７と、サイリスタ素子７を点弧するための点弧パルスを発生するパルス発生装置８と、サイリスタ整流器４の交流側回路に設けられた交流遮断器１０とを備え、界磁遮断指令に応じて、パルス発生装置８によりサイリスタ素子７の点弧動作を行うとともに、交流遮断器１０の遮断動作によりサイリスタ整流器４から界磁巻線２への電圧印加を阻止して、サイリスタ素子７を導通させ、放電抵抗６を含む放電回路を構成するようにした。【選択図】図１
2005160258.tif 000002
【特許請求の範囲】
【請求項１】
回転電機の界磁巻線に所定の極性で直流電圧を印加し界磁電流を流すためのサイリスタ整流器と、前記界磁巻線と並列に接続され前記サイリスタ整流器により前記界磁巻線に印加される直流電圧の正極側にカソードを接続されるサイリスタ素子と、前記サイリスタ素子を点弧するための点弧パルスを発生するパルス発生装置と、前記サイリスタ整流器から前記界磁巻線への電圧印加を阻止するための阻止手段とを備え、界磁遮断指令に応じて、前記パルス発生装置により前記サイリスタ素子の点弧動作を行うとともに、前記阻止手段の動作により前記サイリスタ整流器から前記界磁巻線への電圧印加を阻止して、前記サイリスタ素子を導通させ、放電回路を構成するようにしたことを特徴とする回転電機の励磁装置。
【請求項２】
回転電機の界磁巻線に所定の極性で直流電圧を印加し界磁電流を流すためのサイリスタ整流器と、前記界磁巻線と並列に接続され前記サイリスタ整流器により前記界磁巻線に印加される直流電圧の正極側にカソードを接続されるサイリスタ素子と、前記サイリスタ素子を点弧するための点弧パルスを発生するパルス発生装置と、前記サイリスタ整流器の交流側回路に設けられた交流遮断器とを備え、界磁遮断指令に応じて、前記パルス発生装置により前記サイリスタ素子の点弧動作を行うとともに、前記交流遮断器の遮断動作により前記サイリスタ整流器から前記界磁巻線への電圧印加を阻止して、前記サイリスタ素子を導通させ、放電回路を構成するようにしたことを特徴とする回転電機の励磁装置。
【請求項３】
回転電機の界磁巻線に所定の極性で直流電圧を印加し界磁電流を流すためのサイリスタ整流器と、前記界磁巻線と並列に接続され前記サイリスタ整流器により前記界磁巻線に印加される直流電圧の正極側にカソードを接続されるサイリスタ素子と、前記サイリスタ素子を点弧するための点弧パルスを発生するパルス発生装置と、前記サイリスタ整流器の交流側回路に設けられた交流遮断器とを備え、界磁遮断指令に応じて前記パルス発生装置により前記サイリスタ素子の点弧動作を行うとともに、界磁遮断指令に応じて前記サイリスタ整流器の制御パルスを変化させることにより前記サイリスタ整流器から前記界磁巻線への電圧印加を阻止して、前記サイリスタ素子を導通させ、放電回路を構成し、前記交流遮断器により前記サイリスタ整流器の交流側回路を開放するようにしたことを特徴とする回転電機の励磁装置。
【請求項４】
回転電機の界磁巻線に所定の極性で直流電圧を印加し界磁電流を流すためのサイリスタ整流器と、前記界磁巻線と並列に接続され前記サイリスタ整流器により前記界磁巻線に印加される直流電圧の正極側にカソードを接続されるサイリスタ素子と、前記サイリスタ素子を点弧するための点弧パルスを発生するパルス発生装置と、前記パルス発生装置を制御するとともに前記サイリスタ整流器のパルス制御を行うための制御手段と、前記サイリスタ整流器の交流側回路に設けられた交流遮断器とを備え、界磁遮断指令に応じ前記制御手段によって前記パルス発生装置により前記サイリスタ素子の点弧動作を行うとともに、界磁遮断指令に応じて前記制御手段を前記サイリスタ整流器のパルス制御回路から切り離す切離手段を設けたことを特徴とする請求項１また請求項２に記載の回転電機の励磁装置。
【請求項５】
回転電機の界磁巻線に所定の極性で直流電圧を印加し界磁電流を流すためのサイリスタ整流器と、前記界磁巻線と並列に接続され前記サイリスタ整流器により前記界磁巻線に印加される直流電圧の正極側にカソードを接続されるサイリスタ素子と、前記サイリスタ素子を点弧するための点弧パルスを発生するパルス発生装置と、前記サイリスタ整流器の直流側回路に設けられた直流遮断器とを備え、界磁遮断指令に応じて、前記パルス発生装置により前記サイリスタ素子の点弧動作を行うとともに、前記直流遮断器の遮断動作により前記サイリスタ整流器から前記界磁巻線への電圧印加を阻止して、前記サイリスタ素子を導通させ、放電回路を構成するようにしたことを特徴とする回転電機の励磁装置。
【請求項６】
前記放電回路に設けられる放電抵抗に非線形抵抗を適用したことを特徴とする請求項１から請求項５までのいずれかに記載の回転電機の励磁装置。
【請求項７】
前記放電回路に可変抵抗器を適用し、その可変抵抗器を界磁電圧を測定する電圧測定手段と、可変抵抗の抵抗値を制御する制御装置とにより制御することを特徴とする請求項１から請求項６までのいずれかに記載の回転電機の励磁装置。
【発明の詳細な説明】
【技術分野】
【０００１】
この発明は、回転電機の励磁装置、特に、同期機の励磁装置を構成する界磁巻線の遮断動作を行う界磁遮断に関するものである。
【背景技術】
【０００２】
従来の技術では、遮断接点と放電接点をそれぞれ持ち、これらが機械的に関連されて構成されている界磁遮断器を動作させることで、界磁遮断を行うものである。
このような機械的構成による界磁遮断器の難点を解消するため、同期機の界磁巻線に励磁電流を供給するサイリスタ整流器を界磁遮断時にバイパス運転させ、このサイリスタ整流器に放電電流を流通させて界磁遮断動作を行うものが提案されている（例えば、特許文献１参照）。
【０００３】
【特許文献１】特開平１−９９４９８号公報
【発明の開示】
【発明が解決しようとする課題】
【０００４】
しかしながら、前記特許文献１に記載のものは、同期機の界磁巻線に励磁電流を常時供給するサイリスタ整流器自体に界磁遮断動作に際し放電電流を流通させるものであって、励磁電流を供給する比較的電流容量の大きなサイリスタ整流器につき複雑な制御動作を行う必要があり、その構成が煩雑となることは避けられなかった。
【０００５】
この発明は、上記の問題を解決するためになされたものであり、放電回路を構成するサイリスタ素子によって比較的簡潔な構成により界磁遮断を的確に行える回転電機の励磁装置を得ようとするものである。
【課題を解決するための手段】
【０００６】
この発明に係る回転電機の励磁装置では、回転電機の界磁巻線に所定の極性で直流電圧を印加し界磁電流を流すためのサイリスタ整流器と、前記界磁巻線と並列に接続され前記サイリスタ整流器により前記界磁巻線に印加される直流電圧の正極側にカソードを接続されるサイリスタ素子と、前記サイリスタ素子を点弧するための点弧パルスを発生するパルス発生装置と、前記サイリスタ整流器から前記界磁巻線への電圧印加を阻止するための阻止手段とを備え、界磁遮断指令に応じて、前記パルス発生装置により前記サイリスタ素子の点弧動作を行うとともに、前記阻止手段の動作により前記サイリスタ整流器から前記界磁巻線への電圧印加を阻止して、前記サイリスタ素子を導通させ、放電回路を構成するようにしたものである。
【発明の効果】
【０００７】
この発明によれば、放電回路を構成するサイリスタ素子によって比較的簡潔な構成により界磁遮断を的確に行える回転電機の励磁装置を得ることができる。
【発明を実施するための最良の形態】
【０００８】
実施の形態１．
この発明による実施の形態１を図１に基づいて説明する。図１は実施の形態１における構成を示す接続図である。
図１において、同期機１には界磁巻線２が設けられ、界磁巻線２には放電回路を構成する放電抵抗６が接続されている。界磁巻線２へは、サイリスタ整流器４から所定の極性で直流電圧が印加され励磁電流が供給される。
サイリスタ素子７は放電抵抗６とともに界磁巻線２と並列接続されて放電回路を構成し、サイリスタ素子７のアノードはサイリスタ整流器４から界磁巻線２へ供給される直流電圧の正極性が印加されるように接続されている。このサイリスタ素子７はパルス発生装置８によりパルストランス９を介して点弧制御される。
サイリスタ整流器４の交流側には、交流電源ＡＣとの間に汎用の交流遮断器１０が設置されている。この交流遮断器１０は、従来の界磁遮断器のような特殊仕様のものである必要は無い。
【０００９】
次に、動作について説明する。界磁遮断を行う場合、まず、パルス発生装置８によりサイリスタ素子７の点弧パルスが出力される。点弧パルスはパルストランス９を介してサイリスタ素子７を点弧する。なお、一般に界磁巻線２には正の電圧がかかっているためサイリスタ素子７のアノード−カソード間には負の電圧がかかっているためサイリスタ素子７はＯＮしない。
【００１０】
次に、交流遮断器１０を開放すると、界磁電流は回路を断たれるため、サイリスタ素子７のアノード−カソード間に正の電圧がかかりサイリスタ素子７がＯＮして、放電抵抗６を通して界磁巻線２の残留電流は放電される。
【００１１】
上記のように実施の形態１では、特殊な界磁遮断器を必要とせずに界磁遮断をすることが可能となるため、界磁遮断システムをより安価に構成することが可能となる。また、電流が大きくなった場合であってもサイリスタ素子の並列数を増やすことで比較的容易に容量増加が可能となり、より汎用性の高いシステムを構成することが可能となる利点がある。
【００１２】
この実施の形態１においては、同期機の界磁巻線２に界磁電流を流すためのサイリスタ整流器４を持ち、界磁遮断時の放電回路にサイリスタ素子７とそれを点弧するためのパルス発生装置８とパルストランス９、サイリスタ素子９に直列に接続される放電抵抗６を備え、サイリスタ整流器４の交流側回路に汎用的な交流遮断器１０を備えることを特徴とした同期機の励磁装置が提案されている。
【００１３】
この発明による実施の形態１によれば、同期機等の回転電機の界磁巻線２に所定の極性で直流電圧を印加し界磁電流を流すためのサイリスタ整流器４と、前記界磁巻線２と並列に接続され前記サイリスタ整流器４により前記界磁巻線２に印加される直流電圧の正極側にカソードを接続されるサイリスタ素子７と、前記サイリスタ素子７を点弧するための点弧パルスを発生するパルス発生装置８と、前記サイリスタ整流器４から前記界磁巻線２への電圧印加を阻止するための前記サイリスタ整流器４の交流側回路に設けられた交流遮断器１０からなる阻止手段とを備え、界磁遮断指令に応じて、前記パルス発生装置により前記サイリスタ素子の点弧動作を行うとともに、前記交流遮断器１０からなる阻止手段の遮断動作により前記サイリスタ整流器から前記界磁巻線への電圧印加を阻止して、前記サイリスタ素子を導通させ、放電回路を構成するようにしたので、交流遮断器からなる阻止手段の遮断動作により放電回路を構成するサイリスタ素子を確実に導通させ、このサイリスタ素子の動作によって比較的簡潔な構成により界磁遮断を的確に行える回転電機の励磁装置を得ることができる。
【００１４】
実施の形態２．
この発明による実施の形態２を図２について説明する。図２は実施の形態２における構成を示す接続図である。
この実施の形態２において、ここで説明する特有の構成以外の構成については、先に説明した実施の形態１における構成と同一の構成内容を具備し同様の作用を奏するものである。図中、同一符号は同一または相当部分を示す。
【００１５】
実施の形態２は、実施の形態１の構成に加え、界磁遮断時にサイリスタ整流器４のサイリスタゲート制御を加えたものである。
図２は実施の形態２におけるを示した接続図であり、表記の単純化のためサイリスタ整流器４は１つの箱として記述している。制御装置１１は、サイリスタ整流器４のゲート制御するパルス発生装置を内蔵している。この制御装置１１は一般的には自動電圧調整装置（ＡＶＲ）であると考えられる（従って、これ以降、便宜上、ＡＶＲと呼称する）。パルストランス１２は、パルストランス９と同様のパルストランスである。
【００１６】
次に、動作について説明する。実施の形態２では、サイリスタ素子７を点弧するまでは実施の形態１と同様であるが、その後、ＡＶＲ１１によりサイリスタ整流器４の点弧パルスを停止させ、更にその後、交流遮断器１０を開放する。あるいは、ＡＶＲ１１によりサイリスタ整流器４をパルスバック、すなわち界磁電圧をマイナスになるように制御し、その後、交流遮断器１０を開放する。
【００１７】
その一形態では、サイリスタ整流器４による界磁巻線２への通電状態において、ＡＶＲ１１は内蔵パルス発生装置の発生パルスをパルストランス１２を介してサイリスタ整流器４のパルス制御回路に印加し、内蔵パルス発生装置の発生パルスの位相を制御することによりサイリスタ整流器４について所定の位相制御を行う。
界磁遮断指令に対応する界磁遮断状態では、ＡＶＲ１１は、パルス発生装置８を制御してパルス発生装置８からパルストランス９を介してサイリスタ素子７に点弧パルスを出力するとともに、内蔵パルス発生装置を制御してサイリスタ整流器４の点弧パルスを停止させる。その後、交流遮断器１０の開放動作が行われる。
【００１８】
また、他の一形態では、サイリスタ整流器４による界磁巻線２への通電状態において、同様に、ＡＶＲ１１は内蔵パルス発生装置の発生パルスをパルストランス１２を介してサイリスタ整流器４のパルス制御回路に印加し、内蔵パルス発生装置の発生パルスの位相を制御することによりサイリスタ整流器４について所定の位相制御を行う。
界磁遮断指令に対応する界磁遮断状態では、ＡＶＲ１１は、パルス発生装置８を制御してパルス発生装置８からパルストランス９を介してサイリスタ素子７に点弧パルスを出力するとともに、内蔵パルス発生装置を制御してサイリスタ整流器４をパルスバック、すなわち界磁電圧をマイナスになるように制御する。その後、交流遮断器１０の開放動作が行われる。
【００１９】
上記の手順によれば、サイリスタ整流器４により界磁電圧が負となるためサイリスタ素子７のアノード−カソード間は正の電圧がかかるため、界磁電流の放電が開始し、その後に交流遮断器１０を開放することが可能となり、実施の形態１と同様に特殊な遮断器を使用せずに界磁遮断を行うことが可能となる。
【００２０】
実施の形態１では、サイリスタ素子７を点弧した状態で交流遮断器１０を開放したが、この場合、交流遮断器１０は通常流れている交流電流を遮断する必要があった。この実施の形態２では交流遮断器１０を開放する時には放電回路に電流が流れ、サイリスタ整流器４が停止しているため、無負荷で交流遮断器１０を開放することが可能となり、接点の負荷を減らしたり、遮断器１０の遮断容量を小さくしたりすることが可能という利点がある。
【００２１】
この実施の形態２においては、実施の形態１における構成において、界磁遮断時にサイリスタ整流器のパルス制御を行う機能を追加したことを特徴とする同期機の励磁装置が提案されている。
【００２２】
この発明による実施の形態２によれば、同期機等の回転電機の界磁巻線２に所定の極性で直流電圧を印加し界磁電流を流すためのサイリスタ整流器４と、前記界磁巻線２と並列に接続され前記サイリスタ整流器４により前記界磁巻線２に印加される直流電圧の正極側にカソードを接続されるサイリスタ素子７と、前記サイリスタ素子７を点弧するための点弧パルスを発生するパルス発生装置８と、前記サイリスタ整流器４の交流側回路に設けられた交流遮断器１０とを備え、界磁遮断指令に応じＡＶＲ１１からなる制御手段によって前記パルス発生装置８により前記サイリスタ素子７の点弧動作を行うとともに、界磁遮断指令に応じ前記ＡＶＲ１１からなる制御手段によって前記サイリスタ整流器４の制御パルスを変化させることにより前記サイリスタ整流器から前記界磁巻線への電圧印加を阻止して、前記サイリスタ素子７を導通させ、放電抵抗６を含む放電回路を構成し、前記交流遮断器１０により前記サイリスタ整流器４の交流側回路を開放するようにしたので、界磁遮断指令に応じて前記サイリスタ整流器の制御パルスを変化させることにより放電回路を構成するサイリスタ素子を確実に導通させ、このサイリスタ素子の動作によって比較的簡潔な構成により界磁遮断を的確に行える回転電機の励磁装置を得ることができる。
【００２３】
実施の形態３．
この発明による実施の形態３を図３について説明する。図３は実施の形態３における構成を示す接続図である。
この実施の形態３において、ここで説明する特有の構成以外の構成については、先に説明した実施の形態１または実施の形態２における構成と同一の構成内容を具備し同様の作用を奏するものである。図中、同一符号は同一または相当部分を示す。
【００２４】
実施の形態３は図３に示したとおり、実施の形態２におけるサイリスタ整流器４のゲート信号を強制的に遮断する接点１３を設けたことで、パルス遮断することを可能としたものである。
【００２５】
図３において、サイリスタ整流器４による界磁巻線２への通電状態では、ＡＶＲ１１は内蔵パルス発生装置の発生パルスをパルストランス１２を介してサイリスタ整流器４のパルス制御回路に印加し、内蔵パルス発生装置の発生パルスの位相を制御することによりサイリスタ整流器４について所定の位相制御を行う。
界磁遮断指令に対応する界磁遮断状態では、ＡＶＲ１１は、パルス発生装置８を制御してパルス発生装置８からパルストランス９を介してサイリスタ素子７に点弧パルスを出力するとともに、ＡＶＲ１１からサイリスタ整流器４のパルス制御回路への制御経路が接点１３を外部リレーＲＹにより開放することによって遮断される。サイリスタ整流器４の点弧パルスは停止され、ＡＶＲ１１およびパルス発生装置８の制御系統は、この界磁遮断状態では、サイリスタ整流器４のパルス制御回路から確実に切り離され、サイリスタ素子７による界磁遮断動作は的確に遂行される。その後、交流遮断器１０の開放動作が行われる。
【００２６】
この実施の形態３によれば、実施の形態２のパルス停止とまったく同様なサイリスタ整流器４のパルス遮断制御が可能となる。
【００２７】
実施の形態２では、界磁遮断時にＡＶＲ１１の制御が正常に動作していることが必要であったが、外部リレー等により接点１３を構成することで界磁遮断システムを制御部から独立させることが可能という利点がある。
【００２８】
この実施の形態３においては、実施の形態２における構成において、サイリスタ整流器４のパルス回路を遮断するための接点１３を設けたことを特徴とする同期機の励磁装置が提案されている。
【００２９】
この発明による実施の形態３によれば、実施の形態１または実施の形態２における構成において、同期機等の回転電機の界磁巻線２に所定の極性で直流電圧を印加し界磁電流を流すためのサイリスタ整流器４と、前記界磁巻線２と並列に接続され前記サイリスタ整流器４により前記界磁巻線２に印加される直流電圧の正極側にカソードを接続されるサイリスタ素子７と、前記サイリスタ素子７を点弧するための点弧パルスを発生するパルス発生装置８と、前記パルス発生装置８を制御するとともに前記サイリスタ整流器４のパルス制御を行うためのＡＶＲ１１からなる制御手段と、前記サイリスタ整流器４の交流側回路に設けられた交流遮断器１０とを備え、界磁遮断指令に応じ前記ＡＶＲ１１からなる制御手段によって前記パルス発生装置８により前記サイリスタ素子７の点弧動作を行うとともに、界磁遮断指令に応じて前記ＡＶＲ１１からなる制御手段を前記サイリスタ整流器４のパルス制御回路から切り離す外部リレー等により作動される接点１３からなる切離手段を設けたので、放電回路を構成するサイリスタ素子によって比較的簡潔な構成により界磁遮断を的確に行えるとともに、界磁遮断指令に応じてサイリスタ素子を点弧するための点弧パルスを発生するパルス発生装置の制御を行う制御手段をサイリスタ整流器のパルス制御回路から切り離すことによりサイリスタ素子の誤動作を防止しその動作を的確に遂行できる回転電機の励磁装置を得ることができる。
【００３０】
実施の形態４．
この発明による実施の形態４を図４について説明する。図４は実施の形態４における構成を示す接続図である。
この実施の形態４において、ここで説明する特有の構成以外の構成については、先に説明した実施の形態１から実施の形態３までのいずれかにおける構成と同一の構成内容を具備し同様の作用を奏するものである。図中、同一符号は同一または相当部分を示す。
【００３１】
実施の形態４の構成図を図４に示す。実施の形態１〜３では、サイリスタ整流器４の交流側に交流遮断器を設置しているが、直流側に直流遮断器１４を設けてもまったく同じ効果が得られる。
【００３２】
実施の形態４によれば、交流遮断器だけでなく、直流遮断器にも選択肢が広がるため、より安価にシステムを構成できる可能性がある。
【００３３】
この実施の形態４においては、交流遮断器の代わりにサイリスタ整流器の直流側に、汎用的な直流遮断器１４を備えることを特徴とする同期機の励磁装置が提案されている。
【００３４】
この発明による実施の形態４によれば、同期機等の回転電機の界磁巻線２に所定の極性で直流電圧を印加し界磁電流を流すためのサイリスタ整流器４と、前記界磁巻線２と並列に接続され前記サイリスタ整流器４により前記界磁巻線２に印加される直流電圧の正極側にカソードを接続されるサイリスタ素子７と、前記サイリスタ素子７を点弧するための点弧パルスを発生するパルス発生装置８と、前記サイリスタ整流器４の直流側回路に設けられた直流遮断器１４とを備え、界磁遮断指令に応じて、前記パルス発生装置８により前記サイリスタ素子７の点弧動作を行うとともに、前記直流遮断器１４の遮断動作により前記サイリスタ整流器４から前記界磁巻線２への電圧印加を阻止して、前記サイリスタ素子７を導通させ、放電回路を構成するようにしたので、直流遮断器の遮断動作により放電回路を構成するサイリスタ素子を確実に導通させ、このサイリスタ素子の動作によって比較的簡潔な構成により界磁遮断を的確に行える回転電機の励磁装置を得ることができる。
【００３５】
実施の形態５．
この発明による実施の形態５を図５について説明する。図５は実施の形態５における構成を示す接続図である。
この実施の形態５において、ここで説明する特有の構成以外の構成については、先に説明した実施の形態１から実施の形態４までのいずれかにおける構成と同一の構成内容を具備し同様の作用を奏するものである。図中、同一符号は同一または相当部分を示す。
【００３６】
実施の形態５の構成図を図５に示す。実施の形態１〜４では、放電抵抗６に線形抵抗を用いているが、図中のように非線形抵抗６ａを適用しても良い。
【００３７】
実施の形態５では、非線形抵抗を用いることでより高速に界磁放電をすることが可能となる。
【００３８】
この発明による実施の形態５によれば、実施の形態１から実施の形態４までの構成におけるいずれかの構成において、放電抵抗を含む放電回路を構成するサイリスタ素子によって比較的簡潔な構成により界磁遮断を的確に行えるとともに、放電抵抗として非線形抵抗を用いることにより界磁放電を高速化できる回転電機の励磁装置を得ることができる。
【００３９】
実施の形態６．
この発明による実施の形態６を図６について説明する。図６は実施の形態６における構成を示す接続図である。
この実施の形態６において、ここで説明する特有の構成以外の構成については、先に説明した実施の形態１から実施の形態５までのいずれかにおける構成と同一の構成内容を具備し同様の作用を奏するものである。図中、同一符号は同一または相当部分を示す。
【００４０】
実施の形態６の構成図を図６に示す。実施の形態１〜４では、放電抵抗６に固定抵抗を用いているが、可変抵抗器６ｂを用いてもよい。１５は界磁電圧を測定する電圧測定器、１６は可変抵抗器６ｂの抵抗値を調整する制御装置である。
【００４１】
この実施の形態６によれば、界磁電圧が大きい時は、可変抵抗器６ｂの抵抗値を小さくし、界磁電圧が減少するのに対応して可変抵抗器６ｂの値を大きく変化させることで、非線形抵抗器６ａを適用したと同様に界磁放電時間を短縮させることが可能となる利点がある。
【００４２】
前述した実施の形態５における非線形抵抗６ａでは素子の特性により抵抗値変化が限定されるが、この実施の形態６における方式によれば界磁電圧に応じて最適な放電抵抗値６ｂの値を制御できるという利点がある。
【００４３】
この発明による実施の形態６によれば、実施の形態１から実施の形態５までの構成におけるいずれかの構成において、前記放電回路に可変抵抗器６ｂを適用し、その可変抵抗器６ｂを、界磁電圧を測定する電圧測定器１５からなる電圧測定手段と、可変抵抗の抵抗値を制御する制御装置１６とにより制御するようにしたので、放電回路を構成するサイリスタ素子によって比較的簡潔な構成により界磁遮断を的確に行えるとともに、放電抵抗として抵抗値を制御される可変抵抗を用いることにより界磁電圧に適応した界磁放電を行える回転電機の励磁装置を得ることができる。
【００４４】
なお、実施の形態１から実施の形態６まででは、三相交流を入力としたサイリスタ整流器による励磁装置を記述しているが、単相交流であっても同様の回路が構成できることは言うまでもない。
【図面の簡単な説明】
【００４５】
【図１】この発明による実施の形態１における構成を示す接続図である。
【図２】この発明による実施の形態２における構成を示す接続図である。
【図３】この発明による実施の形態３における構成を示す接続図である。
【図４】この発明による実施の形態４における構成を示す接続図である。
【図５】この発明による実施の形態５における構成を示す接続図である。
【図６】この発明による実施の形態６における構成を示す接続図である。
【符号の説明】
【００４６】
１  同期機、２  界磁巻線、４  サイリスタ整流器、６  放電抵抗、６ａ  非線形抵抗、６ｂ  可変抵抗器、７  サイリスタ素子、８  パルス発生装置、９  パルストランス、１０  交流遮断器、１１  ＡＶＲ、１２  パルストランス、１３  接点、１４  直流遮断器、１５  電圧測定器、１６  抵抗値調整用制御装置。
【図１】
2005160258.tif 000003
【図２】
2005160258.tif 000004
【図３】
2005160258.tif 000005
【図４】
2005160258.tif 000006
【図５】
2005160258.tif 000007
【図６】
2005160258.tif 000008